(57)【要約】      （修正有）【課題】ゴミ箱本体の移動に伴って滑らかにゴミ箱蓋の開閉のできるゴミ箱を提供する。【解決手段】ゴミ箱１は、引き出し方向および押し込み方向に往復移動可能なゴミ箱本体３と、このゴミ箱本体の上縁部に設けられ引き出し方向に直交する回動軸５により回動可能に支持されるとともに、ゴミ箱本体の上面開口３ａを覆うゴミ箱蓋４とを備える。そして、ゴミ箱本体が引き出し方向に移動した際に、ゴミ箱蓋の引き出し方向の移動を規制手段９により規制することにより、ゴミ箱蓋が開方向に回動する。その際、回動軸が引き出し方向に直交しているため、ゴミ箱蓋は円滑に回動する。【選択図】図２
0003187565.tif 000002
【実用新案登録請求の範囲】
【請求項１】
引き出し方向および押し込み方向に往復移動可能なゴミ箱本体（３）と、
このゴミ箱本体（３）の上縁部に設けられ前記引き出し方向に直交する回動軸（５）により回動可能に支持されるとともに、前記ゴミ箱本体（３）の上面開口（３ａ）を覆うゴミ箱蓋（４）とを備えるゴミ箱（１）において、
前記ゴミ箱本体（４）が前記引き出し方向に移動した際に、前記ゴミ箱蓋（４）の前記引き出し方向の移動を規制手段（９）により規制することにより、前記ゴミ箱蓋（４）が開方向に回動することを特徴とするゴミ箱（１）。
【請求項２】
請求項１に記載のゴミ箱（１）において、
前記開方向に回動した前記ゴミ箱蓋（４）は、前記ゴミ箱本体（３）が前記押し込み方向に移動した際に、前記規制手段（９）による規制が解かれ、自重により閉方向に回動し、前記上面開口（３ａ）を封止することを特徴とするゴミ箱（１）。
【請求項３】
請求項１または請求項２に記載のゴミ箱（１）において、
前記規制手段（９）は、一端部が前記回動軸（５）より前記引き出し方向側のゴミ箱蓋（４）上部に固定され、他端部が前記ゴミ箱蓋（４）より上方の固定物（７）に固定された紐状体（６）であることを特徴とするゴミ箱（１）。
【請求項４】
請求項３に記載のゴミ箱（１）において、
前記紐状体（６）は前記固定物（７）および前記ゴミ箱蓋（４）から着脱可能であることを特徴とするゴミ箱（１）。
【請求項５】
請求項１または請求項２に記載のゴミ箱（１）において、
前記規制手段（９）は、前記回動軸（５）より押し込み方向側のゴミ箱蓋（４）上部に設けられた突設部（１０）であり、前記ゴミ箱本体（３）の前記引き出し方向への移動の際に前記突設部（１０）の上端部が前記ゴミ箱蓋（４）より上方の固定物（７）に当接することを特徴とするゴミ箱（１）。
【請求項６】
請求項１ないし請求項５のうちのいずれか一つに記載のゴミ箱（１）において、  
前記ゴミ箱（１）は、引き出し方向および押し込み方向に往復移動可能なドロワー（２）内に収納され着脱可能に固定されていることを特徴とするゴミ箱（１）。
【考案の詳細な説明】
【技術分野】
【０００１】
本考案は、ゴミ箱に関する。
【背景技術】
【０００２】
近年、美観上の問題よりドロワーの内部にゴミ箱を収納できる収納棚が多く発売されている。このような収納棚においては、利便性を考慮してドロワーを引き出す力が解除された際に自動的にドロワーが押し込まれる方向に戻るものが一般的である。しかし、このような収納棚に収納されたゴミ箱にゴミを捨てる際には、ドロワーを引き出し、ゴミ箱蓋を開けてゴミを捨てる必要があり、引き出し作業、ゴミ箱蓋開け作業の２つの作業が必要となっていた。この際に、一方の手にゴミを保持していた場合、空いた他方の手でドロワーを引き出しつつ、ゴミ箱蓋を開けることは困難であった。
【０００３】
ここで、ゴミ箱本体の移動に伴って、ゴミ箱蓋が開くゴミ箱が公知となっている（例えば、引用文献１参照。）。しかし、このゴミ箱においては、ゴミ箱が回転扉に設置されており、ゴミ箱の移動方向（回転扉の垂直軸を回動中心とする周方向）とゴミ箱蓋の回動軸が直交していないために、ゴミ箱蓋の開閉に必要以上の力が必要であり、ゴミ箱蓋の回動軸に無理な捩じり力が生じてしまいゴミ箱が破損してしまう虞もあった。
【先行技術文献】
【特許文献】
【０００４】
【特許文献１】実用新案登録第３０９８１２０号公報
【考案の概要】
【考案が解決しようとする課題】
【０００５】
本考案は、上記の問題点を解決するためになされたものであり、その目的は、ゴミ箱本体の移動に伴って滑らかにゴミ箱蓋の開閉のできるゴミ箱を提供することにある。
【課題を解決するための手段】
【０００６】
本願の第１考案によれば、ゴミ箱は、引き出し方向および押し込み方向に往復移動可能なドロワー内に収納され着脱可能に固定されている。
ここで、ゴミ箱は、ドロワーの移動に連動し、引き出し方向および押し込み方向に往復移動可能なゴミ箱本体と、このゴミ箱本体の上縁部に設けられ引き出し方向に直交する回動軸により回動可能に支持されるとともに、ゴミ箱本体の上面開口を覆うゴミ箱蓋とを備える。
そして、ゴミ箱本体が引き出し方向に移動した際に、ゴミ箱蓋の引き出し方向の移動を規制手段により規制することにより、ゴミ箱蓋が開方向に回動する。
【０００７】
ここで、規制手段は、一端部が回動軸より引き出し方向側のゴミ箱蓋上部に着脱可能に固定され、他端部がゴミ箱蓋より上方の固定物に着脱可能に固定された紐状体である。
なお、開方向に回動したゴミ箱蓋は、ゴミ箱本体が押し込み方向に移動した際に、規制手段による規制が解かれ、自重により閉方向に回動し、上面開口を封止する。
【０００８】
これにより、ゴミ箱本体の引き出し方向の移動に伴いゴミ箱蓋も移動するが、ゴミ箱蓋は紐状体により移動が規制され、回動軸を回動中心として開方向に回動する。その際、回動軸が引き出し方向に直交しているため、ゴミ箱蓋は円滑に回動する。
このため、ゴミ箱本体の移動に伴って滑らかにゴミ箱蓋の開閉のできるゴミ箱を提供することができる。
【０００９】
なお、開方向に回動したゴミ箱蓋は、ゴミ箱本体が押し込み方向に移動した際に、規制が解かれ、紐状体が緩むことにより、自重により閉方向に回動し、上面開口を封止する。
なお、紐状体は、固定物およびゴミ箱蓋から着脱自在であるため、紐状体を取り外すことが可能であり、紐状体を取り外してゴミ箱をドロワーから取り出すことも可能である。さらに、紐状体の長さを調節することによりゴミ箱蓋の開度を調節することができる。
【００１０】
本願の第２考案によれば、ゴミ箱には、規制手段として、回動軸より押し込み方向側のゴミ箱蓋上部に突設部が設けられている。そして、この突設部の上端部がゴミ箱本体の引き出し方向への移動の際にゴミ箱蓋より上方の固定物に当接する。
これにより、ゴミ箱本体の引き出し方向の移動に伴いゴミ箱蓋も移動するが、ゴミ箱蓋は突設部により移動が規制され、回動軸を回動中心として開方向に回動する。その際、回動軸が引き出し方向に直交しているため、第１考案と同様にゴミ箱蓋は円滑に回動する。
なお、突設部は、回動軸より押し込み方向側のゴミ箱蓋上部に設けられるため、外部から見えにくく目立たないため、ゴミ箱の納められる収納棚等の美観を損ねることはない。
【図面の簡単な説明】
【００１１】
【図１】ゴミ箱の全体斜視図である（実施例１）。
【図２】ゴミ箱周辺の側面部分断面図である（実施例１）。
【図３】ゴミ箱周辺の側面部分断面図である（実施例２）。
【図４】ゴミ箱周辺の側面部分断面図である（変形例）。
【図５】ゴミ箱周辺の側面部分断面図である（変形例）。
【考案を実施するための形態】
【００１２】
以下、考案を実施するための形態を実施例に基づいて説明する。
【００１３】
〔実施例１の構成〕
実施例１のゴミ箱１の構成を、図面を用いて説明する。
ゴミ箱１は、例えば、収納棚の最下段の引き出し方向および押し込み方向に往復移動可能なドロワー２内に収納されて用いられるものである。
ゴミ箱１は、ゴミの収納されるゴミ箱本体３と、ゴミ箱本体３の上面開口３ａを封止するように覆い臭気の流出を防ぐゴミ箱蓋４とを有する。ここで、ゴミ箱蓋４は、ゴミ箱本体３の上縁部に設けられた回動軸５を回動中心として、回動可能に支持されている。
【００１４】
ここで、ゴミ箱１はドロワー２の底板に、例えば、耐震用ゲル材を用いて着脱可能に固定されている。この際、ゴミ箱１は、回動軸５がドロワー２の引き出し方向と直交するようにドロワー２に固定される。このため、ゴミ箱本体３は、引き出し方向および押し込み方向に往復移動可能となっている。そして、回動軸５は、引き出し方向に直交してゴミ箱蓋４を回動可能に支持している。
【００１５】
ゴミ箱蓋４は、引き出し方向側の上部に、ゴミ箱蓋４を開閉する取手が設けられている。そして、この取手に紐状体６の一端部が着脱可能に固定されている。そして紐状体６の他端部はゴミ箱蓋４の上方の固定物７である上方ドロワーの支持板８に着脱可能に固定されている。
すなわち、紐状体６は、図２（ａ）に示すように一端部が回動軸５より引き出し方向側のゴミ箱蓋４上部の取手に固定され、他端部がゴミ箱蓋４より上方の固定物７である支持板８に固定されている。
【００１６】
そして、ゴミ箱本体３が引き出し方向に移動した際に、紐状体６は伸びきって、図２（ｂ）に示すように、ゴミ箱蓋４の引き出し方向の移動を規制し、ゴミ箱蓋４は回動軸５を回動中心として開方向に回動する。
【００１７】
なお、開方向に回動したゴミ箱蓋４は、ゴミ箱本体３が押し込み方向に移動した際に、規制が解かれ、紐状体６が緩み、自重により閉方向に回動し図２（ａ）に示すように上面開口３ａを封止する。
よって、紐状体６が規制手段９として機能し、ゴミ箱本体３の引き出し方向および押し込み方向の移動に連動してゴミ箱蓋４の開方向および閉方向の回動を支配している。
【００１８】
〔実施例１の効果〕
ゴミ箱１は、引き出し方向および押し込み方向に往復移動可能なドロワー２に固定されたゴミ箱本体３と、このゴミ箱本体３の上縁部に設けられ引き出し方向に直交する回動軸５により回動可能に支持されるとともに、ゴミ箱本体３の上面開口３ａを覆うゴミ箱蓋４とを備える。
そして、ゴミ箱本体３が引き出し方向に移動した際に、ゴミ箱蓋４の引き出し方向の移動を規制手段９により規制することにより、ゴミ箱蓋４が開方向に回動する。
【００１９】
ここで、規制手段９は、一端部が回動軸５より引き出し方向側のゴミ箱蓋４上部の取手に着脱可能に固定され、他端部がゴミ箱蓋４より上方の固定物７である上方ドロワーの支持板８に着脱可能に固定された紐状体６であり、紐状体６が伸びきることにより、ゴミ箱蓋４の引き出し方向への移動を規制する。
なお、開方向に回動したゴミ箱蓋４は、ゴミ箱本体３が押し込み方向に移動した際に、規制が解かれ、紐状体６が緩むことにより自重により閉方向に回動し、上面開口３ａを封止する。
【００２０】
これにより、ゴミ箱本体３の引き出し方向の移動に伴いゴミ箱蓋４も移動するが、ゴミ箱蓋４は紐状体６により引き出し方向への移動が規制され、回動軸５を回動中心として開方向に回動する。その際、回動軸５が引き出し方向に直交しているため、ゴミ箱蓋４は円滑に回動する。
このため、ゴミ箱本体３の移動に伴って滑らかにゴミ箱蓋４の開閉のできるゴミ箱１を提供することができる。
なお、開方向に回動したゴミ箱蓋４は、ゴミ箱本体３が押し込み方向に移動した際に、紐状体６が緩むことにより、自重により閉方向に回動し、上面開口３ａを封止する。
【００２１】
なお、紐状体６は、固定物７およびゴミ箱蓋４から着脱可能であるため、紐状体６を取り外すことが可能であり、紐状体６を取り外してゴミ箱１をドロワー２から取り出すことができる。さらに、紐状体６の長さを調節することによりゴミ箱蓋４の開度を調節することができる。具体的には、紐状体６を長さの短いものに交換することによりゴミ箱蓋４の開度を大きくすることができ、ゴミ捨てを容易にすることができる。
【００２２】
〔実施例２の構成〕
実施例２の履物１の構成を、図３を用いて説明する。
なお、以下の実施例では、実施例１と同一機能物は同一の符号を付して示している。
ゴミ箱１は、規制手段９として、図３（ａ）に示すように、回動軸５より押し込み方向側のゴミ箱蓋４上部に突設部１０が設けられている。
ここで、突設部１０は、例えばＬ字状の金具であり、一辺をゴミ箱蓋４上部に固定すると、他辺が突設部１０として機能する。
【００２３】
そして、この突設部１０の上端部がゴミ箱本体３の引き出し方向への移動の際に、図３（ｂ）に示すように、ゴミ箱蓋４より上方の固定物７である上方ドロワーの支持板８に当接し、ゴミ箱蓋４のそれ以上の移動を規制して、ゴミ箱蓋４は回動軸５を回動中心として回動する。
なお、開方向に回動したゴミ箱蓋４は、ゴミ箱本体３が押し込み方向に移動した際に、実施例１と同様に規制手段９による規制が解かれ、上方ドロワーの支持板８と突設部１０とは当接したままゴミ箱蓋４は自重により閉方向に回動する。そして、支持板８と突設部１０とは離間し、図３（ａ）に示すように上面開口３ａを封止する。
【００２４】
〔実施例２の効果〕
これにより、ゴミ箱本体３の引き出し方向の移動に伴いゴミ箱蓋４も移動するが、ゴミ箱蓋４は突設部１０により移動が規制され、回動軸５を回動中心として開方向に回動する。その際、回動軸５が引き出し方向に直交しているため、実施例１と同様にゴミ箱蓋４は円滑に回動する。
なお、突設部１０は、回動軸５より押し込み方向側のゴミ箱蓋４上部に設けられるため、外部から見えにくく目立たないため、ゴミ箱１の納められる収納棚等の美観を損ねることはない。
【００２５】
［変形例］
本考案は、その要旨を逸脱しない範囲で様々な変形例を考えることができる。
実施例によれば、ドロワー２は、水平方向に往復移動可能であったが、この形態に拘るものではない。例えば、ドロワー２は、図４に示すようにドロワー２の下縁部に設けられたドロワー回動軸を回動中心として回動するものであってもよい。この場合、引き出し方向および押し込み方向は、ドロワー回動軸を中心とする周方向に設定される。
【００２６】
実施例によれば、ゴミ箱は、ドロワー２内に収納され、ドロワー２の底板に、耐震用ゲル材を用いて着脱可能に固定されていたが、この形態に拘るものではない。例えば、図５に示すように背板を用いてゴミ箱１をドロワー２に固定してもよい。ここで、背板はドロワー２の底板に固定されるものであり、背板とドロワー２により区画される空間の内部にゴミ箱１が収納され、固定される。この場合、規制手段９によりゴミ箱蓋４の引き出し方向の移動が規制された際に、ゴミ箱１に対して取手を作用点とする回転モーメントが発生するが、背板の存在によりゴミ箱１は回動せず、ドロワー２内に固定されている。なお、ゴミ箱１は収納されているだけであるため、ゴミ箱１のドロワー２からの出し入れは容易である。
【符号の説明】
【００２７】
１    ゴミ箱  
３    ゴミ箱本体  
３ａ  上面開口
４    ゴミ箱蓋  
５    回動軸  
９    規制手段
【図１】
0003187565.tif 000003
【図２】
0003187565.tif 000004
【図３】
0003187565.tif 000005
【図４】
0003187565.tif 000006
【図５】
0003187565.tif 000007